(57)【要約】【課題】電子番組ガイドデータと音声データを用いて冷却ファンの回転数を制御し、ファンによって発生する騒音を低減させる。【解決手段】プラズマディスプレイ装置は、番組データに電子番組ガイドデータが付加された放送信号を受信する信号受信部と、受信した電子番組ガイドデータを保持するＥＰＧデータ処理部と、ユーザーが指定した電子番組ガイドデータと保持した電子番組ガイドデータとを比較し、比較結果に応じてファン回転数制御信号を出力するデータ比較部と、受信した番組データに含まれる音声データから拍手または歓声を検出し、検出結果に応じて検出有無信号を出力する音声検出部と、ファン回転数制御信号及び検出有無信号に応じて、ファンの回転数を制御するためのファン回転数情報を出力するパネル制御部と、ファン回転数情報に応じてファンの回転を制御するファン制御部と、を具備することを特徴とする。【選択図】図１
2011234175.tif 000002
【特許請求の範囲】
【請求項１】
番組データに電子番組ガイドデータが付加された放送信号を受信する信号受信部と、
前記信号受信部が受信した前記電子番組ガイドデータを保持するＥＰＧデータ処理部と、
ユーザーが指定した電子番組ガイドデータと前記ＥＰＧデータ処理部が保持する前記電子番組ガイドデータとを比較し、比較結果に応じてファン回転数制御信号を出力するデータ比較部と、
前記信号受信部が受信した前記番組データに含まれる音声データから拍手または歓声を検出し、検出結果に応じて検出有無信号を出力する音声検出部と、
前記ファン回転数制御信号及び前記検出有無信号に応じて、ファンの回転数を制御するためのファン回転数情報を出力するパネル制御部と、
前記ファン回転数情報に応じて、前記ファンの回転を制御するファン制御部と、を具備することを特徴とするプラズマディスプレイ装置。
【請求項２】
前記番組データに含まれる映像信号の輝度データに応じて、映像輝度を決定する映像調整部と、を更に備え、
前記パネル制御部は、前記ファン回転数制御信号及び前記検出有無信号に応じて、輝度調整量を決定して前記映像調整部に出力し、
前記映像調整部は、前記輝度調整量に応じて前記映像輝度を決定する、ことを特徴とする請求項１記載のプラズマディスプレイ装置。
【請求項３】
前記データ比較部は、ユーザーが指定した電子番組ガイドデータと前記ＥＰＧデータ処理部が保持する前記電子番組ガイドデータとを比較し、一致していると判断した場合は前記ファン回転制御信号として前記ファンの回転を抑える要求信号を出力し、一致していないと判断した場合は前記ファン回転制御信号として前記ファンの回転を通常回転にする要求信号を出力し、
前記音声検出部は、前記音声データから拍手または歓声の周波数成分を検出し、前記周波数成分の音量が所定レベル以上であれば、前記検出有無信号として盛り上がりシーン有り信号を出力し、前記周波数成分の音量が所定レベル未満であれば、前記検出有無信号として盛り上がりシーン無し信号を出力し、
前記パネル制御部は、前記ファン回転制御信号として前記ファンの回転を抑える要求信号が入力され、かつ前記検出有無信号として前記盛り上がりシーン有り信号が入力された場合は、前記ファンの回転を高速にするための前記ファン回転数情報を出力する、ことを特徴とする請求項１に記載のプラズマディスプレイ装置。
【請求項４】
前記パネル制御部は、前記ファン回転制御信号として前記ファンの回転を通常回転にする要求信号が入力され、かつ前記検出有無信号として前記盛り上がりシーン無し信号が入力された場合は、前記ファンの回転を低速にするための前記ファン回転数情報を出力する、ことを特徴とする請求項３に記載のプラズマディスプレイ装置。
【発明の詳細な説明】
【技術分野】
【０００１】
本発明は、プラズマディスプレイ装置に関し、更に詳しくは、プラズマディスプレイパネルに番組等を表示させるための周辺回路を冷却する冷却ファンを備えたプラズマディスプレイ装置に関するものである。
【背景技術】
【０００２】
プラズマディスプレイ装置は、装置内で発生した熱を外部に放出し、過熱を防ぐためにファンを備えている。しかしながら、冷却ファンの回転によって発生する音が騒音問題のひとつとなっている。
【０００３】
従来、比較的騒音が気にならない番組（例えばスポーツ番組）では、冷却ファンの回転と画面の明るさを上げ、比較的騒音が気になる番組（例えば音楽番組）では、冷却ファンと画面の明るさを下げるように制御することで、どのジャンルのテレビ番組であっても、騒音を気にならない程度まで抑えることを目的としたテレビ受像装置が知られている（例えば、特許文献１参照）。
【先行技術文献】
【特許文献】
【０００４】
【特許文献１】特開２００６−３１１３９５号公報
【発明の概要】
【発明が解決しようとする課題】
【０００５】
しかしながら、従来の特許文献１記載のテレビ受像装置のように、テレビ番組のジャンルに応じて冷却ファンを制御する方法では、騒音が気になりにくいスポーツ番組であっても、歓声や拍手が静まり返った緊迫のシーンでは、冷却ファンの回転による騒音が耳障りであり、また、騒音が気になりやすい音楽番組であってもずっと音楽が流れているわけではなく、曲間では歓声や拍手があって冷却ファンの回転による騒音が気にならないシーンがあるが、冷却ファンの回転を抑えているため、画面はずっと暗いままであり、番組シーンに応じた冷却ファンの制御はできないという課題を有していた。
【０００６】
本発明は、上記従来の課題を解決するもので、テレビ番組の音声信号から、拍手や歓声を検出し、番組ジャンルに加えて、拍手や歓声の有無に応じて、番組シーンごとに冷却ファンを制御することで冷却ファンが発生する騒音を抑えることが可能なプラズマディスプレイ装置を提供することを目的とする。
【課題を解決するための手段】
【０００７】
本発明の請求項１にかかるプラズマディスプレイ装置は、番組データに電子番組ガイドデータが付加された放送信号を受信する信号受信部と、信号受信部が受信した電子番組ガイドデータを保持するＥＰＧデータ処理部と、ユーザーが指定した電子番組ガイドデータとＥＰＧデータ処理部が保持する電子番組ガイドデータとを比較し、比較結果に応じてファン回転数制御信号を出力するデータ比較部と、信号受信部が受信した番組データに含まれる音声データから拍手または歓声を検出し、検出結果に応じて検出有無信号を出力する音声検出部と、ファン回転数制御信号及び検出有無信号に応じて、ファンの回転数を制御するためのファン回転数情報を出力するパネル制御部と、ファン回転数情報に応じて、ファンの回転を制御するファン制御部と、を具備することを特徴とする。
【０００８】
また、本発明の請求項２にかかるプラズマディスプレイ装置は、本発明の請求項１にかかるプラズマディスプレイ装置の構成において、番組データに含まれる映像信号の輝度データに応じて、映像輝度を決定する映像調整部と、を更に備え、パネル制御部は、ファン回転数制御信号及び検出有無信号に応じて、輝度調整量を決定して映像調整部に出力し、映像調整部は、輝度調整量に応じて映像輝度を決定する、ことを特徴とする。
【０００９】
また、本発明の請求項３にかかるプラズマディスプレイ装置は、本発明の請求項１にかかるプラズマディスプレイ装置の構成において、データ比較部は、ユーザーが指定した電子番組ガイドデータとＥＰＧデータ処理部が保持する電子番組ガイドデータとを比較し、一致していると判断した場合はファン回転制御信号としてファンの回転を抑える要求信号を出力し、一致していないと判断した場合はファン回転制御信号としてファンの回転を通常回転にする要求信号を出力し、音声検出部は、音声データから拍手または歓声の周波数成分を検出し、周波数成分の音量が所定レベル以上であれば、検出有無信号として盛り上がりシーン有り信号を出力し、周波数成分の音量が所定レベル未満であれば、検出有無信号として盛り上がりシーン無し信号を出力し、パネル制御部は、ファン回転制御信号としてファンの回転を抑える要求信号が入力され、かつ検出有無信号として盛り上がりシーン有り信号が入力された場合は、ファンの回転を高速にするためのファン回転数情報を出力する、ことを特徴とする。
【００１０】
また、本発明の請求項４にかかるプラズマディスプレイ装置は、本発明の請求項３にかかるプラズマディスプレイ装置の構成において、パネル制御部は、ファン回転制御信号としてファンの回転を通常回転にする要求信号が入力され、かつ検出有無信号として盛り上がりシーン無し信号が入力された場合は、ファンの回転を低速にするためのファン回転数情報を出力する、ことを特徴とする。
【発明の効果】
【００１１】
本発明のプラズマディスプレイ装置によれば、番組ジャンルだけでなく、番組の音声信号から拍手や歓声を検出することによって、番組のシーンに応じて冷却ファンの回転速度、画面の明るさを制御することができる。これにより、ユーザーに冷却ファンの回転により騒音を意識させることなく、明るい映像を保った快適な視聴環境を提供することができる。
【図面の簡単な説明】
【００１２】
【図１】本発明の実施の形態１におけるプラズマディスプレイ装置の構成を示したブロック図
【図２】本発明の実施の形態１における番組選択画面の一例を示す図
【図３】本発明の実施の形態１における番組ジャンル選択画面の一例を示す図
【図４】本発明の実施の形態１における音声信号から盛り上がりシーンを検出する一例を示す図
【図５】本発明の実施の形態１における冷却ファンの回転と画面輝度の関係を示す図
【発明を実施するための形態】
【００１３】
以下、本発明を実施するための形態について、図面を参照しながら説明する。
【００１４】
（実施の形態１）
図１は、本発明の実施の形態１におけるプラズマディスプレイ装置の構成を示したブロック図である。プラズマディスプレイ装置１において、信号受信部３は、アンテナ２が受信した番組データに電子番組ガイドデータが付加された放送信号を受信して、番組データと電子番組ガイドデータを分離し、番組データを信号処理部４に出力し、電子番組ガイドデータをＥＰＧデータ処理部６に出力して保持させる。
【００１５】
信号処理部４は、信号受信部３から入力した番組データから映像信号を生成し、プラズマディスプレイパネル５に出力する。プラズマディスプレイパネル５は、信号処理部４から入力した映像信号を画面に表示する。ＥＰＧデータ処理部６は、信号受信部３から入力した電子番組ガイドデータをデータ比較部７とユーザー入力処理部１２へ出力する。
【００１６】
ユーザーが静音環境で視聴する番組を予約指定する際に、ユーザー入力処理部１２は、ＥＰＧデータ処理部６から入力した電子番組ガイドデータをプラズマディスプレイパネル５に出力することで、静音環境で視聴した番組を選択する番組選択画面を表示させ、ユーザーはタッチパネルやリモコンによるカーソル移動操作によって静音環境で視聴したい番組を予約指定する。ユーザー操作内容は、ユーザー入力受信部１３が受信し、ユーザー入力処理部１２へ出力する。つまり、ユーザー入力処理部１２は、ユーザー入力受信部１３からユーザー操作内容が入力された場合に、プラズマディスプレイパネル５へユーザー操作内容を反映させた番組選択画面を出力し、プラズマディスプレイパネル５はユーザー操作内容を反映させた番組選択画面を表示する。ユーザーが予約指定した番組情報は、ユーザー入力処理部１２からデータ記録部８に出力される。
【００１７】
データ記憶部８は、ユーザー入力処理部１２から入力されたユーザー選択番組情報を保持するとともに、データ比較部７へ出力する。データ比較部７は、ＥＰＧデータ処理部６から入力した電子番組ガイドデータとデータ記録部８から入力したユーザー選択番組情報を比較して判定し、一致している場合は、ファン回転数制御信号としてファン１１の回転数を抑える要求信号をパネル制御部９に出力し、一致していない場合は、ファン回転数制御信号としてファン１１を通常回転で動作させる要求信号をパネル制御部９に出力する。
【００１８】
音声検出部１５は、信号受信部３から入力した音声データから歓声と拍手の周波数成分を抽出し、歓声と拍手の周波数成分の音量が所定レベル以上であれば、検出有無信号として盛り上がりシーン有り信号をパネル制御部９に出力し、歓声と拍手の周波数成分の音量が所定レベル未満であるならば、検出有無信号として盛り上がりシーン無し信号をパネル制御部９に出力する。パネル制御部９は、データ比較部７から入力したファン１１の制御要求信号と音声検出部１５から入力した盛り上がりシーン有無信号をもとに、ファンの回転数を決定し、ファンの回転数情報をファン制御部１０に出力する。ファン制御部１０は、パネル制御部９から入力したファンの回転数情報に応じてファンを制御する。また、パネル制御部９は、データ比較部７から入力したファン１１の制御要求信号と音声検出部１５から入力した盛り上がりシーン有無信号をもとに、輝度調整量を決定し、映像調整部１４に出力する。映像調整部１４は、パネル制御部９から入力した輝度調整量と信号処理部４から入力した映像信号の輝度データをもとに、プラズマディスプレイパネル５に表示する映像輝度を決定し、信号処理部４に輝度データを出力することで、映像輝度を制御する。
【００１９】
なお、データ記録部８は、安価な記憶媒体であるビデオテープによる磁気的記録装置や低消費電力な記憶媒体である不揮発メモリのような電子的記録装置や大容量の記憶媒体であるＤＶＤのような光学的記録装置としてユーザーが予約指定した番組情報を記憶する。
【００２０】
次に、ユーザーが視聴する番組で静音設定をする際の番組選択画面の例について図２を用いて説明する。番組選択画面２１にように横欄に受信チャンネル（ＣＨ）の番号がＣＨ１０１、ＣＨ１０２、ＣＨ１０３、ＣＨ１０４と表示され、縦欄に時刻が１７時から２３時まで表示され、それぞれのチャンネル及び時刻に対応する番組名称が表示される。ユーザーはこのような番組表示を見ながら、ファンが発生する騒音を小さくするために静音設定する番組をタッチパネルやリモコンによるカーソル操作によって選択する。選択した番組は、画面上で選択したことをユーザーが認識できるように、例えば、１７時にＣＨ１０２の音楽番組「音楽１」が選択されたとすると、音楽番組の表示背景の色が変化するとともに、「静」の文字が表示される。
【００２１】
また、ユーザーが選択できるのは、一意の番組だけでなく、縦欄の時刻や横欄のチャンネルを選択することも可能であり、例えば、２３時放送の番組やＣＨ１０３の番組を選択した場合、選択した番組放送時間帯やチャンネルの番組の表示背景色が横一列もしくは縦一列変化するとともに、番組ごとに「静」の文字が表示される。また、ユーザーが選択できるのは、特定の番組やチャンネル、番組放送時間帯だけでなく、番組ジャンルによっても選択することが可能であり、図３のような番組ジャンル選択画面で、タッチパネルやリモコンによるカーソル操作によって、番組ジャンルを選択することができ、選択された番組ジャンルの背景色が変化し、選択した番組ジャンルの静音設定がされる。例えば、番組ジャンル選択画面２２で、「映画」の番組ジャンルを選択した後、番組選択画面２１を表示すると、番組ジャンル「映画」に該当する番組の背景色が変化し、「静」の文字が表示される。
【００２２】
次に、音声データを用いて、拍手や歓声を検出する音声検出部１５の処理について図４を用いて説明する。図４のように、全体の音量と歓声／拍手の周波数成分だけを取り出した音量から、盛り上がっているシーンであるかどうかを判断する。歓声は、特定の人声の集合であることから、人の声に基づき、所定の周波数をピークに持つと考えられ、また拍手は、人の手の打撃音に基づき、所定の周波数をピークに持つと考えられる。音声データから、歓声と拍手の各所定の周波数成分を取り出し、全体の音量との相対比較で、全体の音量と歓声又は拍手の音量差が所定値より小さいならば盛り上がっているシーンであると判断し、全体の音量と歓声と拍手の音量差がともに所定値よりも大きいならば盛り上がっているシーンではないと判断する。
【００２３】
次に、冷却ファンの回転と画面輝度の制御について、図５を用いて説明する。ここで、ファンの回転数は、「高速」、「通常」、「低速」の順に回転数を少なく設定している。図５のように、静音設定がされている番組においては、画面輝度は通常とし、盛り上がりシーンが検出されていないときは、冷却ファンの回転を低速にすることで騒音を抑え、盛り上がりシーンを検出したときは、冷却ファンの回転を高速にして冷却効果を一気に高める。また、静音設定がされていない番組においては、画面輝度は常に通常より明るくし、盛り上がりシーンが検出されていないときは、騒音を抑えるため冷却の回転を低速とし、盛り上がりシーンを検出したときは、冷却ファンの回転を通常にする。
【００２４】
本実施の形態によれば、比較的映像を楽しむ番組においては、ファンは通常回転で輝度を上げておき、歓声や拍手を検出していない場合は、歓声や拍手の検出期間だけファンの回転数を抑えることで、ファンにより発生する騒音を感じなくさせることができる。また、比較的音声を楽しみたい番組においては、ファンの回転を抑え、歓声や拍手の検出期間だけファンの回転数を上げることにより、冷却効果を高めることができ通常の輝度で番組を見ることができる。
【産業上の利用可能性】
【００２５】
本発明にかかるプラズマディスプレイ装置は、番組ジャンルだけでなく、拍手や歓声を検出することによって、番組のシーンに応じて、冷却ファンの回転速度、画面の明るさを制御することで、ユーザーに冷却ファンの回転により騒音を意識させることなく、明るい映像を保った快適な視聴環境を提供することが可能になるので、プラズマディスプレイパネルに番組等を表示させるための周辺回路を冷却するファンを備えたプラズマディスプレイ装置等として有用である。
【符号の説明】
【００２６】
１    プラズマディスプレイ装置
２    アンテナ
３    信号受信部
４    信号処理部
５    プラズマディスプレイパネル
６    ＥＰＧデータ処理部
７    データ比較部
８    データ記憶部
９    パネル制御部
１０    ファン制御部
１１    ファン
１２    ユーザー入力部
１３    ユーザー入力受信部
１４    映像調整部
１５    音声検出部
【図１】
2011234175.tif 000003
【図２】
2011234175.tif 000004
【図３】
2011234175.tif 000005
【図４】
2011234175.tif 000006
【図５】
2011234175.tif 000007